(57)【要約】【課題】ハウジングより高く積った雪に対して、効果的な除雪を可能とする雪受け具及び当該雪受け具を備える除雪機を提供する。【解決手段】昇降自在なオーガ７と、オーガ７を収容するハウジング８とを備えた除雪機１に取り付ける雪受け具１５であって、雪受け具１５は、板部材からなる雪受け具本体１６と、雪受け具本体１６をハウジング８に取り付ける支持脚１７、１７とを備え、支持脚１７、１７は、オーガ７を降下させた状態では、雪受け具本体１６を除雪機１の前進方向に向けて低くなる傾斜状態に保持され、オーガ７を上昇させた状態では、雪受け具本体１６を水平状態に保持されるものである。【選択図】図１
0003217386.tif 000002
【実用新案登録請求の範囲】
【請求項１】
昇降自在のオーガと、前記オーガを収容するハウジングとを備える除雪機に取り付ける雪受け具であって、
板部材からなる雪受け具本体と、
前記雪受け具本体を前記ハウジングに取り付ける取付部と、を備え、
前記オーガを降下させた状態では、前記雪受け具本体が前記除雪機の前進方向に向けて低くなる傾斜状態に保持され、
前記オーガを上昇させた状態では、前記雪受け具本体が略水平状態に保持されることを特徴とする雪受け具。
【請求項２】
前記雪受け具本体の上面に立設した落雪防止部を備えることを特徴とする請求項１に記載の雪受け具。
【請求項３】
前記雪受け具本体は矩形状に形成され、
前記落雪防止部は前記雪受け具本体の上面であって前端を除く周縁部に立設されたことを特徴とする請求項２記載の雪受け具。
【請求項４】
前記雪受け具本体は、前記ハウジングの天面の全幅を被覆可能な形状とし、
前記取付部は、前記雪受け具本体の前端を前記ハウジングの天面の前端と合わせた状態で、前記ハウジングと前記雪受け具本体とを連結することを特徴とする請求項１又は２記載の雪受け具。
【請求項５】
前記雪受け具本体の前端を下方に折り曲げた係止部を備え、
前記係止部を、前記ハウジングの天面の前端に係止可能としたことを特徴とする請求項１〜３のいずれか１項に記載の雪受け具。
【請求項６】
前記雪受け具本体の前端を前記ハウジングの天面の前端に回動自在に連結するヒンジ部を備え、
前記取付部を伸縮自在とし、前記取付部の伸縮に合せて前記雪受け具本体を起伏自在としたことを特徴とする請求項１〜３のいずれか１項に記載の雪受け具。
【請求項７】
請求項１〜６に記載の雪受け具を備える除雪機。
【考案の詳細な説明】
【技術分野】
【０００１】
本考案は、機体前部に雪面掻取用のオーガを有する除雪機に関して、オーガを収容するハウジングの上部に取り付ける雪受け部及び当該雪受け具を備える除雪機に関するものである。
【背景技術】
【０００２】
従来、除雪機として、車輪またはクローラなどの走行部を設けた機体の前部にハウジングを取り付け、その内側に螺旋状の掻取羽根からなるオーガを横設し、オーガを昇降可能とするものがある（特許文献１）。
【先行技術文献】
【特許文献】
【０００３】
【特許文献１】特開２０１５−８１４７８号公報
【考案の開示】
【考案が解決しようとする課題】
【０００４】
しかし、従来の除雪機では、ハウジングの天面が前から後ろにかけて低くなるように傾斜して設けられており、ハウジングより高く積った雪に対して除雪機を前進させると、ハウジングの天面に積載された雪が作業者の方へなだれ落ちてくるため、作業性に問題があった。
【０００５】
また、従来の除雪機では、ハウジングより高く積った雪を除雪する場合、まず上側の雪を除雪し、その後下側の雪を除雪するが、上側の雪を除雪する際に除雪機が下側の雪の上を前進する。この時、除雪機により踏み固められた下側の雪は上り傾斜となることが多い。上側の雪を除雪した後、踏み固められた下側の雪の上で除雪機を後退させる必要があるが、除雪機を操作する作業者は除雪機の後側で作業を行うため、除雪機を後退させるときには、重量のある除雪機が作業者の方に移動するため、身の危険を感じることがあった。
【０００６】
そこで、本考案は、ハウジングより高く積った雪に対して、効果的な除雪を可能とする雪受け具及び当該雪受け具を備える除雪機を提供することを目的とする。
【課題を解決するための手段】
【０００７】
請求項１記載の本考案の雪受け具は、昇降自在のオーガと、前記オーガを収容するハウジングとを備える除雪機に取り付ける雪受け具であって、板部材からなる雪受け具本体と、前記雪受け具本体を前記ハウジングに取り付ける取付部と、を備え、前記オーガを降下させた状態では、前記雪受け具本体が前記除雪機の前進方向に向けて低くなる傾斜状態に保持され、前記オーガを上昇させた状態では、前記雪受け具本体が略水平状態に保持されることを特徴とする。
【０００８】
請求項２記載の本考案の雪受け具は、前記雪受け具本体の上面に立設した落雪防止部を備えることを特徴とする。
【０００９】
請求項３記載の本考案の雪受け具は、前記雪受け具本体は矩形状に形成され、前記落雪防止部は前記雪受け具本体の上面であって前端を除く周縁部に立設されたことを特徴とする。
【００１０】
請求項４記載の本考案の雪受け具は、前記雪受け具本体は、前記ハウジングの天面の全幅を被覆可能な形状とし、前記取付部は、前記雪受け具本体の前端を前記ハウジングの天面の前端と合わせた状態で、前記ハウジングと前記雪受け具本体とを連結することを特徴とする。
【００１１】
請求項５記載の本考案の雪受け具は、前記雪受け具本体の前端を下方に折り曲げた係止部を備え、前記係止部を、前記ハウジングの天面の前端に係止可能としたことを特徴とする。
【００１２】
請求項６記載の本考案の雪受け具は、前記雪受け具本体の前端を前記ハウジングの天面の前端に回動自在に連結するヒンジ部を備え、前記取付部を伸縮自在とし、前記取付部の伸縮に合せて前記雪受け具本体を起伏自在としたことを特徴とする。
【００１３】
請求項７記載の本考案の除雪機は、請求項１〜６に記載の雪受け具を備えたことを特徴とする。
【考案の効果】
【００１４】
請求項１の考案によれば、ハウジングより高く積った雪を除雪する場合に、ハウジングより高い位置の雪を雪受け具で受けて、雪がハウジングの上部から作業者の方へなだれ落ちてくるのを防ぎ、ハウジングより高く積った雪に対して、効果的な除雪を可能とするとともに、既存の除雪機への後付けが容易な除雪機用の雪受け具を提供することができる。また、オーガを上昇させると、雪受け具本体が略水平状態に保持されるので、雪を雪受け具に安定した状態で積むことができる。また、雪受け具に積まれた雪は、オーガを降下させると、雪受け具本体の傾斜に沿って除雪機の前方に滑り落ちるので、そのまま降下した状態のオーガで除雪することができるため、ハウジングより高く積った雪に対して、効果的な除雪を可能とする。
【００１５】
請求項２の考案によれば、雪受け具本体に積まれた雪が落下するのを防ぐことができる。
【００１６】
請求項３の考案によれば、除雪機を前進させて雪受け具本体の前端側から雪を積む際に、落雪防止部が雪に引っ掛かるのを防ぎ、雪受け具本体に雪を崩さないように積むことができる。また、オーガを下降させて、雪受け具本体の傾斜に沿って除雪機の前方に雪を降ろす際に、雪受け具本体の前端に雪が引っ掛かるのを防ぎ、速やかに雪を降ろすことができる。
【００１７】
請求項４の考案によれば、ハウジングより高く積った雪を除雪する場合に、ハウジングの上部を通過しようとする雪を雪受け部本体で効果的に受けることができる。
【００１８】
請求項５の考案によれば、係止部を除雪機のハウジングの天面の前端に係止することで、雪受け具の取り付けの際の位置合わせを容易とし、また、ハウジングと雪受け具の境目を無くすことで、ハウジングと雪受け具との間に雪が入り込むことを防ぎ、効果的な除雪を行うことができる。
【００１９】
請求項６の考案によれば、雪受け具によって視界が遮られる場合には、取付部を収縮させて、雪受け具を倒伏させることで、視界を確保することができる。
【００２０】
請求項７の考案によれば、ハウジングより高く積った雪に対して、効果的な除雪を可能とする除雪機を提供することができる。
【図面の簡単な説明】
【００２１】
【図１】本考案の実施例１に係る除雪機において、除雪部を降下させた状態の側面図である。
【図２】同上、除雪部を上昇させた状態の除雪機の側面図である。
【図３】同上、除雪部の正面図である。
【図４】同上、ハウジングの高さ以上の雪に対する準備状態の除雪機を示す側面図である。
【図５】同上、図４の状態から、除雪機を雪に向けて前進させて、除雪した状態を示す側面図である。
【図６】同上、図５の状態から、除雪部を上昇させて、除雪機を後退させた状態を示す側面図である。
【図７】同上、図６の状態から、除雪部を降下させて、雪受け具の雪を降ろした状態を示す側面図である。
【図８】本考案の実施例２に係る除雪機において、除雪機を降下させた状態の側面図である。
【図９】同上、雪受け具の平面図である。
【図１０】本考案の実施例３に係る除雪部を作業用車両に接続し、除雪部を降下させた状態を示す側面図である。
【図１１】同上、除雪部を上昇させた状態を示す側面図である。
【図１２】同上、図１０の状態から、取付部を収縮して雪受け具を倒伏した状態を示す側面図である。
【考案を実施するための最良の形態】
【００２２】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００２３】
以下、本考案の第１実施例を図１〜図７を参照して説明する。図１、図２、図４〜図７において、図中の右側を除雪機の前進方向とするとともに、図中の左側を除雪機の後退方向とする。符号１で示す本実施例の除雪機は、除雪機１を走行させる走行部２と、除雪を行う除雪部３とを備えた歩行型の除雪機としている。
【００２４】
走行部２は、機体フレーム４と、機体フレーム４の下部に備えた左右一対のクローラ５と、機体フレーム４の後部に備えた操縦ハンドル６とを備えている。さらに、機体フレーム４の後部には、図示しないが除雪部３の昇降や走行部２の前進・後退・左右旋回・エンジンのオン/オフ・オーガのオン/オフ・緊急停止用の安全スイッチ等の各種操作手段を備えた操作盤を備えている。
【００２５】
除雪部３は、螺旋状の掻き取り用羽根から構成されるオーガ７と、オーガ７を横設して収容するハウジング８と、ハウジング８の後部に連結されたブロワ９と、ブロワ９に連結されたシュータ１０とを備え、オーガ７によって掻き集められた雪Ｓを、ブロワ９の噴出力によりシュータ１０から放出して除雪作業を行うものである。
【００２６】
尚、除雪部３とクローラ５は、機体フレーム４に搭載した図示しないディーゼルエンジン又はガソリンエンジンからの駆動力によって駆動する。
【００２７】
ハウジング８は、前方から後方にかけて低くなるように傾斜した天面１１と、ブロワ９に連結された後面１２と、オーガ７を軸支する左側面１３及び右側面１４とを備えている。
【００２８】
尚、除雪部３は、走行部２に対して図示しない昇降機構によって昇降自在に備えている。
【００２９】
本実施例では、上述の除雪機１のハウジング８の上部に雪受け具１５を取り付けて使用する。以下、雪受け具１５の構成について説明する。雪受け具１５は、金属製の板部材からなる雪受け具本体１６と、雪受け具本体１６をハウジング８に取り付ける取付部である一対の支持脚１７、１７とを備えている。
【００３０】
図３に示すように、雪受け具本体１６は、ハウジング８の天面１１の全幅Ｗを被覆可能な大きさに形成された矩形状としている。
【００３１】
図３に示すように、雪受け具本体１６は、除雪機１の前進方向と対向する前端１８を除く、周縁の後端１９、左端２０、及び右端２１を連続させて垂直に立ち上げた落雪防止部２２を備えている。落雪防止部２２は、雪受け具本体１６に積んだ雪Ｓが除雪機１の振動等により雪受け具本体１６から滑り落ちることを防止するものである。そのため、落雪防止部２２の高さは、雪Ｓが滑り落ちない高さであれば任意に変更可能である。
【００３２】
図１に示すように、雪受け具本体１６の前端１８は、下方に折り曲げ形成された係止部２３を備えている。
【００３３】
図１に示すように、雪受け具本体１６は、除雪機１の前進方向に向けて低くなる傾斜状態となるように、後端１９から前端１８にかけて斜め下向きに傾斜して備えている。
【００３４】
図１及び図２に示すように、支持脚１７、１７は、雪受け具本体１６の左端２０及び右端２１から下方に向けて取り付けられた一対の金属製のプレートからなる。
【００３５】
支持脚１７、１７は、雪受け具本体１６の係止部２３をハウジング８の天面１１の前端１１Ａに係止させた状態で、図１、図４、図５、図７に示すような除雪部３を降下させた状態では、雪受け具本体１６を除雪機１の前方に向けた下向きの傾斜状態とし、図２、図６に示すような除雪部３を上昇させた状態では、雪受け具本体１６が略水平状態となるように、雪受け具本体１６の左端２０及び右端２１と、ハウジング８の天面１１とを連結するものである。
【００３６】
本実施例の除雪機１は、作業者Ｍが操縦ハンドル６を握り、走行部２を前進させながらオーガ７で雪Ｓをハウジング８内に掻き集め、掻き集めた雪Ｓをシュータ１０で投雪する。  次に、ハウジング８の高さＨ１以上の高さＨ２（Ｈ１＜Ｈ２）まで積った雪Ｓを除雪する方法について、図４〜図７を用いて説明する。
【００３７】
まず、図４に示すような準備状態で降下した状態の除雪部３のまま、図５に示すように除雪機１を雪Ｓに向けて前進させる。この場合、ハウジング８の高さＨ１以下の雪Ｓはオーガ７によってハウジング８内に掻き集められてシュータ１０で投雪される。また、ハウジング８の高さＨ１以上の高さＨ２まで積った雪Ｓは、雪受け具本体１６に積まれる。
【００３８】
そして、図６に示すように、除雪部３を上昇させて雪受け具本体１６に雪Ｓを積んだまま、除雪機１を後退させる。図６に示すように、ハウジング８の高さＨ１以上の高さＨ２まで積った雪Ｓは、略水平状態の雪受け具本体１６に安定した状態で積まれる。
【００３９】
次に、図７に示すように、除雪部３を降下させると、雪受け具本体１６は前進方向に向けて低くなる傾斜状態となり、雪受け具本体１６に積まれた雪Ｓは雪受け具本体１６の傾斜に沿って除雪機１の前方に滑り落ち、除雪機１を前進させると、降下した状態の除雪部３で除雪することができる。
【００４０】
以上のように本実施例の雪受け具１５は、昇降自在のオーガ７と、オーガ７を収容するハウジング８とを備えた除雪機１に取り付ける雪受け具１５であって、板部材からなる雪受け具本体１６と、雪受け具本体１６をハウジング８に取り付ける取付部としての支持脚１７、１７とを備え、支持脚１７、１７は、オーガ７を降下させた状態では、雪受け具本体１６が除雪機１の前進方向に向けて低くなる傾斜状態に保持され、オーガ７を上昇させた状態では、雪受け具本体１６が略水平状態に保持されるものである。
【００４１】
この場合、ハウジング８より高く積った雪Ｓを除雪する場合に、ハウジング８より高い位置の雪Ｓを雪受け具１５で受けて、雪Ｓがハウジング８の上部から作業者Ｍの方へ落ちてくるのを防ぎ、ハウジング８より高く積った雪Ｓに対して、効果的な除雪を可能とするとともに、既存の除雪機１への後付けが容易な除雪機用雪受け具１５を提供することができる。また、オーガ７を上昇させると、雪受け具本体１６が略水平状態に保持されるので、雪Ｓを雪受け具１５に安定した状態で積むことができる。また、雪受け具１５に積まれた雪Ｓは、オーガ７を降下させると、雪受け具本体１６の傾斜に沿って除雪機１の前方に滑り落ちるので、そのまま降下した状態のオーガ７で除雪することができるため、ハウジング８より高く積った雪Ｓに対して、効果的な除雪を可能とする。
【００４２】
また、本実施例の雪受け具１５は、雪受け具本体１６の上面に立設した落雪防止部２２を備えたことにより、雪受け具本体１６に積まれた雪Ｓが落下するのを防ぐことができる。
【００４３】
また、本実施例の雪受け具１５は、雪受け具本体１６は矩形状に形成され、落雪防止部２２は雪受け具本体１６の上面であって前端１８を除く周縁部である後端１９、左端２０、右端２１に立設されたことにより、除雪機１を前進させて雪受け具本体１６の前端１８側から雪Ｓを積む際に、落雪防止部２２が雪Ｓに引っ掛かるのを防ぎ、雪受け具本体１６に雪Ｓを崩さないように積むことができる。また、オーガ７を下降させて、雪受け具本体１６の傾斜に沿って除雪機１の前方に雪Ｓを降ろす際に、雪受け具本体１６の前端１８に雪Ｓが引っ掛かるのを防ぎ、速やかに雪Ｓを降ろすことができる。
【００４４】
また、本実施例の雪受け具１５は、雪受け具本体１６は、ハウジング８の天面１１の全幅Ｗを被覆可能な形状とし、支持脚１７、１７は、雪受け具本体１６の前端１８をハウジング８の天面１１の前端１１Ａと合わせた状態で、ハウジング８と雪受け具本体１６とを連結している。
【００４５】
この場合、ハウジング８より高く積った雪Ｓを除雪する場合に、ハウジング８の上部を通過しようとする雪Ｓを雪受け部本体１６で効果的に受けることができる。
【００４６】
また、本実施例の雪受け具１５の雪受け具本体１６の前端１８を下方に折り曲げた係止部２３を備え、係止部２３を、ハウジング８の天面１１の前端１１Ａに係止可能としている。
【００４７】
この場合、係止部２３を除雪機１のハウジング８の天面１１の前端１１Ａに係止することで、雪受け具１５の取り付けの際の位置合わせを容易とし、また、ハウジング８と雪受け具１５の境目を無くすことで、ハウジング８と雪受け具１５との間に雪Ｓが入り込むことを防ぎ、効果的な除雪を行うことができる。
【実施例２】
【００４８】
以下、本考案の第２実施例を図８及び図９を参照して説明する。図８において、図中の右側を除雪機の前進方向とするとともに、図中の左側を除雪機の後退方向とする。尚、図８に示す、左側面、右側面を備えない天面１１と後面１２のみで構成されるハウジング８でも、支持脚１７、１７をハウジングの天面１１に固定するものとする。
【００４９】
本実施例の雪受け具本体１６の後端１９は、シュータ１０の後方まで延設されている。ここで、後端１９の延設に伴って、雪受け具本体１６がシュータ１０の動作を阻害しないように、シュータ１０の回転動作のための動作範囲を確保するためのシュータ動作用開口部２４が、後端１９からシュータ１０の周囲にかけて切り欠いて形成されている。
【００５０】
この場合、雪受け具本体１６の後端１９側を延長して、雪受け具本体１６の面積を拡大したことにより、より多くの雪を積むことが可能となる。
【００５１】
また、本実施例では、雪受け具本体１６の後端１９側と天面１１とを連結する補助用支持脚２５を備えたことにより、雪受け具本体１６の後端１９側を延設したことによる雪受け具本体１６の面積増加に伴い、積載荷重が増加した雪受け具１５の強度を補っている。
【００５２】
また、シュータ動作用開口部２４は、シュータ１０の周囲から後端１９にかけて雪受け具本体１６を切り欠いて形成されたことで、シュータ１０とシュータ動作用開口部２４との隙間にある雪Ｓは、除雪機１を前進させることにより、シュータ動作用開口部２４の後端１９側の切り欠き部２４Ａから雪受け具本体１６の後方へと送られ、シュータ１０とシュータ動作用開口部２４との隙間２４Ｂに雪Ｓが詰まり、シュータ１０の動作が阻害されるのを防ぐことができる。
【００５３】
さらに、本実施例の落雪防止部２２は、雪受け具本体１６の周縁の後端１９、左端２０、及び右端２１に沿って連続させて垂直に立ち上げた雪受け具本体側２２Ａと、シュータ動作用開口部２４の周縁に沿って連続させて垂直に立ち上げたシュータ動作用開口部側２２Ｂとを一体的に連続して形成したことにより、雪受け具本体１６に積まれた雪Ｓが落下するのを防ぐとともに、特にシュータ動作用開口部側２２Ｂによって、シュータ１０とシュータ動作用開口部２４との隙間２４Ｂに雪Ｓが詰まりシュータ１０の動作が阻害されるのを防ぐことができる。
【００５４】
また、落雪防止部２２において、雪受け具本体側２２Ａとシュータ動作用開口部側２２Ｂを異なる高さとしてもよく、シュータ動作用開口部側２２Ｂを雪受け具本体１６側２２Ａより高くすることで、隙間２４Ｂでの雪Ｓの詰まりをより効果的に防ぐことができる。
【実施例３】
【００５５】
以下、本考案の第３実施例を図１０乃至図１２を参照して説明する。図１０乃至図１２において、図中の右側を除雪機の前進方向とするとともに、図中の左側を除雪機の後退方向とする。
【００５６】
本実施例では、トラクタ等の農用車両、工事用車両、建設用車両等の各種作業用車両２６に接続された除雪部３に、本考案の雪受け具１５を採用した構成について説明する。尚、本実施例では作業用車両２６にトラクタを例に挙げて説明する。
【００５７】
作業用車両２６は、作業機を接続するための接続部２７を備えており、接続部２７には、作業機にエンジン動力を伝達するための図示しないＰＴＯ（Ｐower  take-off）軸を備えている。本実施例では、前述の作業機の一つとして除雪部３が接続部２７に接続される。尚、本実施例の除雪部３は、作業用車両２６に対して図示しない昇降機構によって昇降自在に備える。
【００５８】
接続部２７に接続された除雪部３では、ＰＴＯ軸を介して作業用車両２６のエンジン動力がオーガ７、ブロワ９、及び昇降機構の駆動力へと提供される。尚、除雪部３の各種機能は、作業用車両２６の運転席から操作可能とすることが好ましい。
【００５９】
接続部２７は、作業用車両２６の前部又は後部に備えるものであり、本実施例では図１０乃至図１２に示すように作業用車両２６の前部に接続部２７を備えた構成を例に説明する。
【００６０】
本実施例の雪受け具１５では、雪受け具本体１６の前端１８とハウジング８の天面１１の前端１１Ａをヒンジ部２８で連結している。雪受け具本体１６は、ヒンジ部２８を回動軸としてハウジング８に対して起伏可能に備えている。
【００６１】
また、本実施例では、支持脚１７、１７を一対の油圧シリンダとしており、雪受け具本体１６の左端２０及び右端２１から下方に向けて取り付けられている。
【００６２】
支持脚１７、１７は、伸張状態において、図１０に示すような除雪部３を降下させた状態では、雪受け具本体１６を除雪機１の前方に向けた下向きの傾斜状態とし、図１１に示すような除雪部３を上昇させた状態では、雪受け具本体１６が略水平状態となるように、雪受け具本体１６の左端２０及び右端２１と、ハウジング８の天面１１とを連結するものである。尚、支持脚１７、１７の駆動力は、ＰＴＯ軸を介して作業用車両２６のエンジン動力から供給されるものとする。
【００６３】
また、支持脚１７、１７は、収縮状態において、図１２に示すような雪受け具本体１６の後端１９が、好ましくは前端１８と同等の高さかそれ以下まで降下して、作業用車両２６の運転席から少なくともハウジング８の天面１１の前端１１Ａが見えるようになっている。
【００６４】
本実施例では、支持脚１７、１７を伸縮可能として、雪受け具１５をハウジング８に対して起伏可能に備えることで、作業用車両２６の進行方向での視界が雪受け具１５によって遮られる場合には、図１２に示すように支持脚１７、１７を収縮させて、ヒンジ部２８を回動軸として雪受け具本体１６の後端１９を下げるように倒伏させることにより、作業用車両２６の視界を確保することができる。
【００６５】
本考案は上記実施例に限定されるものではなく、例えば、雪受け具本体１６の形状、支持脚１７の本数については適宜変更してもよく、また、除雪機１の走行手段にクローラ５を例に挙げたが、車輪としてもよい。第３実施例の支持脚１７、１７では、油圧シリンダを例に挙げたが、伸縮する機構を有するものであれば、特に限定されるものではない。また、第３実施例において除雪部３の各種駆動力を、ＰＴＯ軸を介して作業用車両のエンジン動力から供給する構成としたが、特に限定されるものではない。
【符号の説明】
【００６６】
１  除雪機
７  オーガ
８  ハウジング
１１  天面
１１Ａ  前端
１５  雪受け具
１６  雪受け具本体
１７  支持脚（取付部）
１８  前縁
２２  落雪防止部
２３  係止部
【図１】
0003217386.tif 000003
【図２】
0003217386.tif 000004
【図３】
0003217386.tif 000005
【図４】
0003217386.tif 000006
【図５】
0003217386.tif 000007
【図６】
0003217386.tif 000008
【図７】
0003217386.tif 000009
【図８】
0003217386.tif 000010
【図９】
0003217386.tif 000011
【図１０】
0003217386.tif 000012
【図１１】
0003217386.tif 000013
【図１２】
0003217386.tif 000014